(57)【要約】【課題】  被抱持者を収容状態にして、対状のリング相互間に挿通して固定するスリング本体の固定状態を確実に維持し、使用固定後の滑りその他が生じないようにする。【解決手段】  被抱持者を収容状態で抱持して抱持者の肩に掛けた状態で使用される長尺帯状のスリングにおいて、被抱持者を抱持するスリング本体１の一端部に対状の係止リング１０を設ける。この係止リング１０は、平面から見て閉塞されたループ状で、その断面をほぼ菱形状としたリング本体１１を形成し、リング本体１１における菱形の角部には滑り止め係止部１２を設けて成る。リング本体１１における菱形の斜面は、圧迫傾斜面部１３となって係止リング１０相互の間隙にスリング本体１を挿通させたとき、スリング本体１の挿通部分を圧迫し、挟着する。リング本体１１はやや扁平状の菱形状としたり、滑り止め係止部１２を半円形状としたりする。【選択図】      図２
0003116735.tif 000002
【実用新案登録請求の範囲】
【請求項１】
被抱持者を収容状態で抱持して抱持者の肩に掛けた状態で使用される長尺帯状のスリングにおいて、被抱持者を抱持するスリング本体の一端部に対状の係止リングを設け、この係止リングは、平面から見て閉塞されたループ状で、その断面をほぼ菱形状としたリング本体を形成すると共に、このリング本体における菱形の角部には滑り止め係止部を設けて成ることを特徴とするスリングにおける係止リング。
【請求項２】
リング本体における菱形の斜面は、圧迫傾斜面部となって係止リング相互の間隙にスリング本体を挿通させたとき、スリング本体の挿通部分を圧迫し、挟着するものとしてある請求項１に記載のスリングにおける係止リング。
【請求項３】
リング本体は断面でやや扁平状の菱形状としてある請求項１または２に記載のスリングにおける係止リング。
【請求項４】
滑り止め係止部を断面で半円形状としてある請求項１乃至３のいずれかに記載のスリングにおける係止リング。
【考案の詳細な説明】
【技術分野】
【０００１】
この考案は一般的にはスリングと称される主として乳幼児を抱持し、あるいは背負うようにした１枚布製の抱き紐において、乳幼児を収容したスリング本体がループ状となるよう固定支持するときに使用される対状のリングを改良したもので、不意の滑り、被抱持者の脱落等が防止されるようにしたスリングにおける係止リングに関する。
【背景技術】
【０００２】
近時、スリングと称されることで乳幼児を抱持し、また背負い、あるいは小脇に抱えることができるようにした１枚布製の抱き紐が使用されるようになっている。これは、従来から使用されている背負い紐であれば、例えば母親の背中で乳幼児を背負うために乳幼児の顔を母親が直接に見ることができない等の不便があるのに比し、このスリングによれば乳幼児を身体の前面で抱えることができ、しかも抱えられる乳幼児にとって無理な姿勢が強いられずに、身体的な負担が少なくなり、また使用者の両手が使用可能であるばかりでなく、誕生間もない場合でも使用できる等の利点のあることが認められている。
【０００３】
そして、この種のスリングとして、スリング本体のループ状の固定方法によって従来から乳幼児の身長その他に対しての調整が可能なリング式（特許文献１参照）、あるいはループ形態上の大きさが一定で固定的なリングなし式、固定・連結部分が簡単に着脱できるようにしたバックル式（特許文献２参照）等のものが提案されている。
【特許文献１】特開２００３−４７５４２号公報
【特許文献２】登録実用新案第３０４７６０３号公報
【考案の開示】
【考案が解決しようとする課題】
【０００４】
このような従来提案のスリングによると、特にリング式の場合、スリング本体のいずれか一方の端部に重なり状にしてリングを対状に配置して設けておき、スリング本体の他方の端部を一方のリングに挿通してから重なっているリング同士の間隙内に更に挿通し、リング同士による圧迫作用でスリング本体の端部を固定している。
【０００５】
ところがこうした二重リングによる固定方法によると、重なっている対状のリングが僅かにずれているその間隙内でスリング本体の所定部位を強く圧迫し、挟み込むも、スリング本体の素材が滑りやすかったり、あるいは使用者が十分に締め付けていなかったり、またリング自体が強度的に不十分であったりすると、その固定部分に緩みが生じ、ひいては乳幼児がスリングから脱落する危険性もあった。特にリング自体は断面が円形状でその表面が滑らかに形成されているから、その間に挟まれるスリング本体の滑りが基本的には防止し得ないものであった。
【０００６】
またこの種のスリングは、抱持される者に無理な姿勢を強いなくて済み、また抱持する者にとっても身体の一部のみの使用ではなく身体中心で抱えるようになるためにその運搬時の身体的負担も大きくはならない。そのため、乳幼児のみならず、身体動作が不自由な老人その他の被介護者の運搬にも使用されるようになっている。そうすると、乳幼児に比し相当に体重がある老人、身障者等の被介護者を抱えるには、そのリングの安全性、安定性等が一層要求される。
【０００７】
そこでこの考案は叙上のような従来存した諸事情に鑑み案出されたもので、スリングにおいて、乳幼児等の被抱持者の身長等に対応して固定長さが調整可能な利点を十分に活かしつつ、ループ状で固定するスリング本体の固定状態を確実に維持し、固定後の滑りその他が生じないようにしたスリングにおける係止リングを提供することを目的とする。
【課題を解決するための手段】
【０００８】
上述した課題を解決するため、この考案にあっては、被抱持者を収容状態で抱持して抱持者Ｍの肩に掛けた状態で使用される長尺帯状のスリングにおいて、被抱持者を抱持するスリング本体１の一端部に対状の係止リング１０を設け、この係止リング１０は、平面から見て閉塞されたループ状で、その断面をほぼ菱形状としたリング本体１１を形成すると共に、このリング本体１１における菱形の角部には滑り止め係止部１２を設けて成るものである。
リング本体１１における菱形の斜面は、圧迫傾斜面部１３となって係止リング１０相互の間隙にスリング本体１を挿通させたとき、スリング本体１の挿通部分を圧迫し、挟着するものとして構成することができる。
またリング本体１１は断面でやや扁平状の菱形状としたり、滑り止め係止部１２を断面で半円形状としたりすることができる。
【０００９】
以上のように構成されたこの考案に係るスリングにおける係止リング１０にあって、対状にしてスリング本体１の一端部に設けられ、スリング本体１の他端部が相互の間隙に挿通されて圧迫状で挟着される。このとき、一方のリング本体１１の滑り止め係止部１２と他方のリング本体１１の滑り止め係止部１２とが相互に噛み合い状となり、防波堤のように互いにストッパーとして作用する。そのため、滑り止め係止部１２がスリング本体１の挿通部分をいわば蛇行状に噛み合わせ押圧して、スリング本体１の挿通部分をしっかり固定させる。
また、断面でほぼ菱形状を呈するリング本体１１における傾斜した圧迫傾斜面部１３は、係止リング１０によって挟み込んだスリング本体１の挿通部分を荷重方向に沿って長く支持し、これによる荷重の分散、摩擦面の増大等によってもスリング本体１を確実に安定した状態で固定支持させる。
リング本体１１の断面は、扁平なほぼ菱形状であり、また滑り止め係止部１２が断面で半円形状であることで、スリング本体１の他端部の係止リング１０の相互間の間隙内への挿通を円滑にし、使用勝手を向上させる。
【考案の効果】
【００１０】
この考案は以上説明したように構成されているため、スリングにおいて、被抱持者を収容するときにループ状で固定するスリング本体１の固定状態を確実に維持し、固定後のスリング本体１の挿通部分における滑りその他が生じることがなく、例えば介護用で体重が重い老人等の被抱持者であっても脱落させずにしっかりと抱持できる。もとより、乳幼児その他の被抱持者の身長、体重等に対応するように、使用時の抱持長さが調整できるリング式スリングの利点を十分に活かすことができ、しかも従来認められた欠点等を解消できる。
【００１１】
すなわちこれはこの考案において、スリング本体１の一端部に対状に設けられる係止リング１０において、この係止リング１０は、平面から見て閉塞されたループ状で、その断面をほぼ菱形状としたリング本体１１を形成すると共に、このリング本体１１における菱形の角部には滑り止め係止部１２を設けて成るとしたからであり、これによって、係止リング１０相互間に挿通することで固定するスリング本体１の挿通部分を確実に固定でき、被抱持者の重い大きな体重等によっても、その固定部分が滑らず、被抱持者を脱落させることなく、支持できる。
【００１２】
また対状となってスリング本体１の一端部に設けられる係止リング１０において、これらの係止リング１０相互間の間隙内にスリング本体１の他端部が挿通されるとき、一方のリング本体１１の滑り止め係止部１２と他方のリング本体１１の滑り止め係止部１２とが相互に噛み合い、スリング本体１の挿通部分をいわば蛇行状に噛み合わせて押圧することになり、スリング本体１の挿通部分をしっかり挟着して固定でき、被抱持者を脱落させることがない。
【００１３】
そればかりでなく、リング本体１１における傾斜した圧迫傾斜面部１３は、係止リング１０によって挟み込んだスリング本体１の挿通部分をその挿通方向に沿って長く支持するものとなり、これによって得られる荷重の分散、摩擦面の増大等によっても確実、安定した状態でスリング本体１の挿通部分を固定支持する。
【００１４】
しかも、リング本体１１の断面は扁平なほぼ菱形状であると共に、滑り止め係止部１２が断面で半円形状であるから、スリング本体１の他端部を係止リング１０相互間の間隙内に挿通させるとき、重なり状で対状配置の係止リング１０相互間での挿通作業を円滑にし、使用勝手を向上できる。
【００１５】
尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１６】
以下図面を参照してこの考案を実施するための最良の一形態を説明すると、図において示される符号１は、長尺帯状で被抱持者を収容状態で抱持者Ｍの肩に掛けた状態で被抱持者を抱持するよう、実質的に１枚布から形成されるスリングにおけるスリング本体である。そして、このスリング本体１の一端部には係止リング１０が対状にして設けられており、スリング本体１の他端部がいずれか一方の係止リング１０に挿通され、重なり合っている他方の係止リング１０との間隙内に更に挿通されることで、係止リング１０相互による圧迫、挟着作用で他端部が固定される。
【００１７】
スリング本体１自体は、従来から提案されているように、基本的には１枚布によって形成されており、抱持する乳幼児、あるいは老人・身障者等の被介護者夫々に対応して、所定幅員、所定長さに形成されている。また内部にクッション材を封入した表裏布構成としたり、抱持者Ｍの身体の負担を軽減するように肩部にあたる部位にクッション材を配したり、両側縁に搾りバンドを引き出し自在に内蔵して被抱持者をしっかりと固定できるようにしたり、係止リング１０部位を覆うことでその化粧あるいは脱落防止等が図れるものとしたり等とすることも可能である。いずれにしても、スリング本体１自体の構造、形状は特に限定されない。
【００１８】
また、このスリング本体１に設けられる係止リング１０は、図示例のようにスリング本体１の一端部を窄めあるいは絞る等によってスリング本体１に比し狭幅状に処理して、この狭幅部分に嵌め合わせておき、更にこの狭幅部分を折り返してスリング本体１に縫着等によって固定することで、折り返された狭幅部分が係止リング１０内に挿通された状態で、スリング本体１の一端部に連繋固定される（図３参照）。もとより、係止リング１０のスリング本体１に対する連繋固定は、この図示例に限らず、例えばスリング本体１の一端部に連結されたバンド・ベルト片に固定されても良い。
【００１９】
一方、係止リング１０は、平面から見て閉塞された例えば円形のループ状で、その断面ではやや扁平のほぼ菱形状を呈するリング本体１１を形成すると共に、このリング本体１１における菱形の角部には断面で半円形状の滑り止め係止部１２を設けて成り、リング本体１１における菱形の斜面を圧迫傾斜面部１３と成してある。この係止リング１０自体は例えば硬質の合成樹脂材にて一体状に成型され、例えば外径は約８０ｍｍ、内径は約６０ｍｍ程度とされ、リング本体１１における幅員は約１０ｍｍ、高さは約８ｍｍ程度とされ、滑り止め係止部の直径は約２ｍｍ程度とされるも、大きさはこれらに限定されず、また素材自体も被抱持者の荷重を十分に支持できれば良く、特に限定されるものではない。
【００２０】
特に、この係止リング１０におけるリング本体１１が、リング本体１１のループ方向にほぼ直交する方向でのリング本体１１自体の高さがこれの幅員に比しやや小さくされることで、互いに重なり状となってスリング本体１の他端部を挟み込むときの圧迫傾斜面部１３における挟み込み長さを長くでき（図２（Ａ），（Ｂ）参照）、挟み込み後の滑りの防止に一層有効なものとする。この圧迫傾斜面部１３において、必要があればこれの表面を粗面に加工処理でき、大きな滑り止め作用が得られるようにする。
【００２１】
またリング本体１１は平面から見て円形状としてあるも、場合によっては円形以外の形状とすることが可能である。ただ、被抱持者を抱持したときの固定した係止リング１０部位における荷重の分散、支持時の無方向性その他を考慮すれば、円形のループ状であることが好ましい。
【００２２】
尚、圧迫傾斜面部１３は、リング本体１１の断面形状を菱形とすることで形成する場合に限らず、場合によって断面円形のリング本体１１において、重なり状に配置される相互の対向面で斜面状になるよう切削ないし成形加工することで形成することも可能である（図示せず）。
【００２３】
次にこれの使用の一例を説明すると、図３に示すように使用する抱持者Ｍの頸に回した状態でスリング本体１を肩に掛ける一方、スリング本体１の一端部に設けてある二重の係止リング１０に対し、図２（Ａ），（Ｂ）に示すようにいずれか一方の係止リング１０に挿通したスリング本体１の他端部を他方の係止リング１０との間隙内に更に挿通して仮止め状にし、スリング本体１を抱持者Ｍの前面に位置させておく。次いで、乳幼児等をスリング本体１内に抱持すると共に、被抱持者に対応してスリング本体１における全体の固定長さを調整しながら、重なり状になっている係止リング１０にてスリング本体１の他端部を圧迫し、挟着する。
【００２４】
こうすることで乳幼児等の被抱持者をスリング本体１内に収容した状態で抱持者Ｍによって抱持でき、図示のように前面抱きとしたり、図示を省略したが横抱き、縦抱き、おんぶ、カンガルー抱きとしたり等の抱持態様とする。
【図面の簡単な説明】
【００２５】
【図１】この考案を実施するための最良の形態を示す一部切欠の斜視図である。
【図２】同じく、その（Ａ），（Ｂ）は使用状態における要部断面図である。
【図３】同じくスリングの使用状態の一例における斜視図である。
【符号の説明】
【００２６】
Ｍ…抱持者
１…スリング本体
１０…係止リング                        １１…リング本体
１２…滑り止め係止部                    １３…圧迫傾斜面部
【図１】
0003116735.tif 000003
【図２】
0003116735.tif 000004
【図３】
0003116735.tif 000005